(57)【特許請求の範囲】
【請求項１】
折り目が付された用紙を上向きの方向に傾斜させて搬出する部材と、前記用紙を水平方向に搬送する第１の用紙搬送路と、第１の用紙搬送路に連なり前記用紙を下向きの方向に傾斜させて搬送する第２の用紙搬送路と、第１の用紙搬送路に設けられ用紙の折り目が付された側の部分を押圧して用紙の搬送を一時停止させる停止ローラと、該停止ローラを第１の用紙搬送路の水平方向で移動して動作位置を調整する位置調整装置と、第２の用紙搬送路に設けられ用紙を順次集積して揃える用紙揃え手段とを備え、前記停止ローラの動作位置を第１の用紙搬送路で水平方向に移動することにより、前記用紙揃え手段において、先に搬送されてきた用紙の上側に後に搬送されてきた用紙を順次重ね用紙の折り目が付された部分を上向きにして横方向に揃えるか、または、先に搬送されてきた用紙の下側に後に搬送されてきた用紙を順次重ね用紙の折り目が付された部分を横向きにして垂直方向に揃えるかを選定してなる用紙揃え装置。
【発明の詳細な説明】
【０００１】
【発明の属する技術分野】
本発明は、折り目が付された用紙の折り目が付された部分を同一方向にして揃える用紙揃え装置に関するものである。
【０００２】
【従来の技術】
印刷機により印刷された用紙は、用紙折り機により二つ折り、四つ折り等の折り目が付される。このように用紙折り機で折り目を付けられた各用紙は、用紙揃え装置で折り目が付された部分が同一方向になるようにして揃えられる。
【０００３】
図３は、従来の用紙揃え装置の一例を示す概略の正面図である。図において、１は用紙折り機で、印刷機で印刷された用紙に所定の折り目を付して排紙部から排出する。２は用紙、３はバネ等により押圧力が付与される一対のプレスローラで用紙折り機１から排出される用紙２に折りぐせを付する処理をして上向きの方向に傾斜させて搬出する。４は一対のプレスローラ３の出力側に設置されている搬送ローラで用紙２を上向きの方向に傾斜させて搬送する。
【０００４】
５は搬送ローラ４に連なり、ローラとコンベアを用いて用紙を水平方向に搬送する第１の用紙搬送路、６は第１の用紙搬送路５に連らなり、第１の用紙搬送路５から搬送されてきた用紙をローラとコンベアを用いて下向きの方向に傾斜して搬送する第２の用紙搬送路、７は第２の用紙搬送路６を搬送されてきた用紙２を集積し折り目が付された部分を揃えるストッパー、８は第１の用紙搬送路５の上に設けられた停止ローラ、９はセンサである。
【０００５】
次に、図３に示された用紙揃え装置の動作について説明する。用紙折り機１により所定の折り目を付された用紙２は排紙部より排出され、一対のプレスローラ３間で押圧力が印加されて折りぐせを付する処理がなされる。一対のプレスローラ３の出力側に設けたセンサ９が前記処理された用紙２の搬出されたことを検出すると、第１の用紙搬送路５、第２の用紙搬送路６が駆動される。
【０００６】
一対のプレスローラ３により前記のような処理がなされた用紙２は搬送ローラ４を介して第１の用紙搬送路５に搬出される。第１の用紙搬送路５の所定の位置に設けられている停止ローラ８は、用紙２の折り目を付された側の部分を第１の用紙搬送路５のコンベアとの間で挟み込んで該用紙２の搬送を一時停止させる。
【０００７】
次の用紙が一対のプレスローラ３により同様に処理されて第１の用紙搬送路５に搬送されてきたときに、先に処理されて停止ローラ８により搬送が停止されている用紙の、折り目を付され部分とは反対側の開放側を下側から押し上げるようにして先に処理された用紙にもぐりこませ、２枚の用紙を重ねる（ラップさせる）ように停止ローラ８の第１の用紙搬送路５における水平方向の動作位置を設定する。停止ローラ８は、用紙２の搬送速度に応じて前記ラップ量を調整するために第１の用紙搬送路５上で水平方向に僅かの距離移動可能に配置されている。
【０００８】
次に、停止ローラ８を上昇させ、第１の用紙搬送路５で搬送されてきた用紙２は、続いて第２の用紙搬送路６に移載されて下向きの方向に傾斜して搬送されストッパー７の位置で折り目を付した部分が横向きになるようにして揃えられる。停止ローラ８は再び下降して次の用紙の折り目を付された側の部分を押さえて搬送を停止させる。以下、同様の処理を繰り返して用紙２は順次第１の用紙搬送路５から第２の用紙搬送路６に搬送される。
【０００９】
第２の用紙搬送路６は第１の用紙搬送路５に対して下向きの方向に傾斜して設置されているので、用紙２の折り目を付された部分とは反対側の開放側は上側になって第２の用紙搬送路６を傾斜して搬送されている。このために、次に第１の用紙搬送路５から第２の用紙搬送路６に搬送されてきた用紙は、先に第２の用紙搬送路６に搬送されてきた用紙の前記開放側を下側から押し上げるようにしてもぐり込み、先に処理された用紙が上側になるようにして第２の用紙搬送路６を搬送され、順次ストッパー７の位置で集積されて折り目を付した部分が横向きに揃えられる。したがって、ストッパー７の位置では、後に処理された用紙が下側で先に処理された用紙が上側になるようにして順次揃えられる。
【００１０】
図４は、従来の用紙揃え装置の他の例を示す概略の正面図である。図３の従来例と同一の部品には同一の番号を付している。図に示すように、一対のプレスローラ３、搬送ローラ４は水平に設置された第１の用紙搬送路５に対して上側に位置するように配置され、一対のプレスローラ３で処理された用紙２を第１の用紙搬送路５に落下させて搬送する。このような構成のため、第１の用紙搬送路５では先に処理された用紙の上に後に処理された用紙が順次重なり搬送される。停止ローラ８は第１の用紙搬送路５で水平方向に僅かな距離移動可能に設置される。
【００１１】
図４の例でも図３の例で説明したと同様に第１の用紙搬送路５に停止ローラ８が設けられているが、この停止ローラ８は、第１の用紙搬送路５に搬送されてきた用紙がばらばらにならないように一時的に停止させて順次搬送するために設けられているものである。このために、図３の例のように先に処理された用紙の下側に次に処理された用紙をもぐりこませるような作用はしていない。
【００１２】
第１の用紙搬送路５を搬送されてきた用紙２は第２の用紙搬送路６で更に下向きの方向に傾斜して搬送され、第２の用紙搬送路６の終端の位置に設けたトレー１０により、先に処理された用紙の上側に後に処理された用紙が重ねられるように、折り目を付した部分が上向きになるようにして順次集積され揃えられる。
【００１３】
図３のように、処理された用紙２をストッパー７の位置で先に処理された用紙の下側に後に処理された用紙を順次重ねて集積して揃えていく例では、ストッパー７により用紙２の折り目を付した部分が横向きで用紙は垂直方向に揃えられているので、用紙を取り出した後に必要な用紙の結束作業がしやすくなるという利点がある。
【００１４】
また、図４の例ではトレー１０の位置で先に処理された用紙の上側に後に処理された用紙を順次重ね、用紙２の折り目を付した部分は上向きにして用紙は横方向に揃えられていくので、処理された用紙を取り出しやすいという利点がある。
【００１５】
【発明が解決しようとする課題】
このように従来の用紙揃え装置においては、折り目を付した部分を同一方向にして用紙を揃えるには、図３のように先に処理した用紙の下に後に処理した用紙を順次重ねて折り目を付した部分が横向きで用紙を垂直方向に揃える方式と、図４のように先に処理した用紙の上に後に処理した用紙を順次重ねて折り目を付した部分は上向きにして用紙は横方向に揃える方式の二通りの方式があり、いずれの方式を採用するかにより構成の異なる装置を必要としていた。このため、両方式の用紙揃えを必要とするする場合には用紙揃え装置のコストが高くなるという問題があった。
【００１６】
本発明はこのような問題に鑑み、前記両方式の用紙揃えに対応できる構成とした用紙揃え装置の提供を目的とする。
【００１７】
【課題を解決するための手段】
上記目的は、用紙揃え装置を、折り目が付された用紙を上向きの方向に傾斜させて搬出する部材と、前記用紙を水平方向に搬送する第１の用紙搬送路と、第１の用紙搬送路に連なり前記用紙を下向きの方向に傾斜させて搬送する第２の用紙搬送路と、第１の用紙搬送路に設けられ用紙の折り目が付された側の部分を押圧して用紙の搬送を一時停止させる停止ローラと、該停止ローラを第１の用紙搬送路の水平方向で移動して動作位置を調整する位置調整装置と、第２の用紙搬送路に設けられ用紙を順次集積して揃える用紙揃え手段とを備え、前記停止ローラの動作位置を第１の用紙搬送路で水平方向に移動することにより、前記用紙揃え手段において、先に搬送されてきた用紙の上側に後に搬送されてきた用紙を順次重ね用紙の折り目が付された部分を上向きにして横方向に揃えるか、または、先に搬送されてきた用紙の下側に後に搬送されてきた用紙を順次重ね用紙の折り目が付された部分を横向きにして垂直方向に揃えるかを選定してなる構成とすることにより達成される。
【００１８】
上記の構成とすることにより、１台の用紙揃え装置で用紙の折り目を付した部分が横向きで垂直方向に揃えるか、または、用紙の折り目を付した部分は上向きにして横方向に揃えるか、いずれの方式で揃えるかを必要に応じて選定することができる。
【００１９】
【発明の実施の形態】
以下、本発明に係る用紙揃え装置の実施の形態について図を参照して説明する。図１は本発明に係る実施の形態の用紙揃え装置の概略の正面図である。図３と同一の部分には同じ番号を付して、重複を避けるために詳細な説明は省略する。図において、１１は停止ローラ８の位置調整装置である。
【００２０】
一対のプレスローラ３により折りぐせを付する処理がなされた用紙２は搬送ローラ４を通り第１の搬送路５に搬出される。停止ローラ８は位置調整装置１１により第１の用紙搬送路５の水平方向で移動されて動作位置が調整される。
【００２１】
以下、図３で説明したと同じようにして、停止ローラ８は、搬送される用紙２の折り目を付された側の部分を第１の用紙搬送路５のコンベアとの間で挟み込んで該用紙２の搬送を一時停止させ，一対のプレスローラ３により次に処理された用紙は、先に処理された用紙の下側にもぐりこませるようにして搬送ローラ４から第１の用紙搬送路５に搬入し、順次用紙を第１の用紙搬送路５、第２の用紙搬送路６を搬送して、ストッパー７の位置で先に処理された用紙の下側に後に処理された用紙を重ね、折り目を付した部分を横向きにして用紙を垂直方向に集積して揃える。
【００２２】
図２は、本発明に係る用紙揃え装置を、先に処理がなされた用紙の上側に後に処理された用紙を順次重ね、折り目を付した部分を上向きにして用紙を横方向に揃えていく処理方式に適用した例の概略の正面図である。
【００２３】
この場合には、位置調整装置１１により停止ローラ８を第１の用紙搬送路５上で一対のプレスローラ３、搬送ローラ４の設置位置から離間させて第２の用紙搬出路６に接近した側に水平方向で移動して動作位置を設定する。すなわち、位置調整装置１１は、停止ローラ８を第１の用紙搬送路５の水平方向で移動距離を大きくして移動させて動作位置を調整している。
【００２４】
一対のプレスローラ３で処理された用紙２が第１の用紙搬送路５に搬入され、停止ローラ８により用紙２の折り目を付された側の先端部分が一対のプレスローラ３および搬送ローラ４から離間した第２の用紙搬送路６に接近した位置で停止していると、次に第１の用紙搬送路５に搬入される用紙は、前記停止ローラ８により搬送が停止されている用紙２の折り目を付された側とは反対側の開放端の上側に重なるようにして搬送される。
【００２５】
すなわち、停止ローラ８で搬送が停止されている用紙２の折り目を付された側とは反対側の開放端は、第１の用紙搬送路５上で搬送ローラ４の設置位置からは離間した個所に位置しているので、次に処理された用紙が搬出ローラ４を介して第１の用紙搬送路５の下側方向から傾斜して搬送されてきても、先に第１の用紙搬送路５に搬入されている用紙の開放端側の下側にもぐり込むことはなく、上側に重ねられるようにして搬送される。
【００２６】
第２の用紙搬送路６には、ストッパー７を設けることに代えてトレー１０がその終端の位置に設置されている。第１の用紙搬送路５から搬送されてきた各用紙は、第２の用紙搬送路６で下向きの方向に傾斜して搬送され、第２の用紙搬送路６の終端位置に設置されているトレー１０に、折り目を付した部分が上向きになるようにして順次横向きの方向に集積されて揃えられる。
【００２７】
停止ローラ８の第１の用紙搬送路５における動作位置は、用紙２の搬送の速度、処理される用紙の大きさを考慮して、先に処理された用紙の開放側の上側に次に処理された用紙の先端部分が重なるように、適宜調整して設定される。
【００２８】
なお、折りぐせを付ける手段として、以上説明した例では一対のプレスローラを用いているが、折りぐせを付ける手段はこのような一対のプレスローラに限定されるものではなく、固定された部材と垂直方向に移動する部材との間に折り目を付した用紙を配置し、所定の折りぐせを付して用紙を上向きの方向に傾斜して搬出する構成とすることも可能である。
【００２９】
また、以上説明した例では一対のプレスローラの出力側と第１の用紙搬送路との間に搬送ローラを設けているが、一対のプレスローラと第１の用紙搬送路との位置関係を適宜選定することにより、搬送ローラを省略して一対のプレスローラから直接に第１の用紙搬送路に用紙を搬出する構成とすることも可能である。
【００３０】
【発明の効果】
以上説明したように本発明においては、用紙折り機により折り目を付された用紙を揃える際に、搬送路で用紙の搬送を一時停止させる停止ローラの動作位置を調整することにより、先に処理した用紙の下側に後に処理された用紙を重ね、折り目を付した側の部分を横向きにして垂直方向に揃える方式でも、また、先に処理した用紙の上側に後に処理された用紙を重ね、折り目を付した側の部分を上向きにして横方向に揃える方式でも、１台の用紙揃え装置でいずれの用紙揃えの方式でも選定できるので、用紙揃え装置のコストを低減することができる。
【図面の簡単な説明】
【図１】本発明に係る実施の形態の用紙揃え装置の概略の正面図である。
【図２】図１の用紙揃え装置を、折り目を付した部分を上向きにして用紙を揃える処理方式に適用する例の概略の正面図である。
【図３】従来の用紙揃え装置の概略の正面図である。
【図４】従来の別の用紙揃え装置の概略の正面図である。
【符号の説明】
１    用紙折り機
２    用紙
３    一対のプレスローラ
４    搬送ローラ
５    第１の用紙搬送路
６    第２の用紙搬送路
７    ストッパー
８    停止ローラ
９    センサ
１０  トレー
１１  位置調整装置
【図１】
0003782213.tif 000002
【図２】
0003782213.tif 000003
【図３】
0003782213.tif 000004
【図４】
0003782213.tif 000005